(57)【要約】【課題】チューナダイバシチを用いて受信通信品質を確保しつつ、呼数が多いときでもより確実にチャネルを新規呼に割り当てることができる無線基地局、通信プログラム及び通信方法を提供する。【解決手段】本発明に係る無線基地局１００は、使用していないチャネルの数である空きチャネル数が所定の閾値に到達したか否かを監視し、空きチャネル数が所定の閾値に到達したことが検知された場合、ダイバシチ無線通信に用いられている一部のチャネルを解放するチャネル制御部とを備える。【選択図】図７
2007104397.tif 000002
【特許請求の範囲】
【請求項１】
タイムスロットと無線周波数とによって定められるチャネルを複数用いて移動局とのダイバシチ無線通信を実行する無線基地局であって、
使用していない前記チャネルの数である空きチャネル数が所定の閾値に到達したか否かを監視する空きチャネル数監視部と、
前記空きチャネル数監視部によって前記空きチャネル数が前記所定の閾値に到達したことが検知された場合、前記ダイバシチ無線通信に用いられている一部のチャネルを解放するチャネル制御部と
を備える無線基地局。
【請求項２】
前記チャネル制御部は、前記移動局から受信した信号の受信通信品質に基づいて、解放するチャネルを決定する請求項１に記載の無線基地局。
【請求項３】
前記チャネル制御部は、
複数の移動局と前記ダイバシチ無線通信を設定している場合、前記複数の移動局のそれぞれと設定されている各チャネルを介して受信した前記信号の受信通信品質の平均が最も高い移動局を選択し、
前記選択した移動局との間において用いられている複数の前記チャネルのうち、前記受信通信品質が最も低いチャネルを解放する請求項２に記載の無線基地局。
【請求項４】
タイムスロットと無線周波数とによって定められるチャネルを複数用いて移動局とのダイバシチ無線通信を実行する通信装置において用いられる通信プログラムであって、
前記通信装置に、
使用していない前記チャネルの数である空きチャネル数が所定の閾値に到達したか否かを監視する空きチャネル数監視手順と、
前記空きチャネル数監視手順によって前記空きチャネル数が前記所定の閾値に到達したことが検知された場合、前記ダイバシチ無線通信に用いられている一部のチャネルを解放するチャネル制御手順と
を実行させる通信プログラム。
【請求項５】
前記チャネル制御手順は、前記移動局から受信した信号の受信通信品質に基づいて、解放するチャネルを決定する請求項４に記載の通信プログラム。
【請求項６】
前記チャネル制御手順は、
複数の移動局と前記ダイバシチ無線通信を設定している場合、前記複数の移動局のそれぞれと設定されている各チャネルを介して受信した前記信号の受信通信品質の平均が最も高い移動局を選択し、
前記選択した移動局との間において用いられている複数の前記チャネルのうち、前記受信通信品質が最も低いチャネルを解放する請求項５に記載の通信プログラム。
【請求項７】
タイムスロットと無線周波数とによって定められるチャネルを複数用いて移動局とのダイバシチ無線通信を実行する通信方法であって、
使用していない前記チャネルの数である空きチャネル数が所定の閾値に到達したか否かを監視するステップと、
前記監視するステップにおいて前記空きチャネル数が前記所定の閾値に到達したことが検知された場合、前記ダイバシチ無線通信に用いられている一部のチャネルを解放するステップと
を備える通信方法。
【請求項８】
前記チャネルを解放するステップでは、前記移動局から受信した信号の受信通信品質に基づいて、解放するチャネルを決定する請求項７に記載の通信方法。
【請求項９】
前記チャネルを解放するステップでは、
複数の移動局と前記ダイバシチ無線通信を設定している場合、前記複数の移動局のそれぞれと設定されている各チャネルを介して受信した前記信号の受信通信品質の平均が最も高い移動局を選択し、
前記選択した移動局との間において用いられている複数の前記チャネルのうち、前記受信通信品質が最も低いチャネルを解放する請求項８に記載の通信方法。
【発明の詳細な説明】
【技術分野】
【０００１】
本発明は、タイムスロットと無線周波数とによって定められるチャネルを複数用いて移動局とのダイバシチ無線通信を実行する無線基地局、通信プログラム及び通信方法に関する。
【背景技術】
【０００２】
ＰＨＳ（personal handyphone system）など、時分割多重多元接続（ＴＤＭＡ）を用いた無線通信システムでは、無線基地局（ＣＳ）と移動局（ＰＳ）との間において、複数のチャネル（タイムスロット及び無線周波数の組合せ）を用いてダイバシチ無線通信を実行する方式、いわゆる“チューナダイバシチ”が実現されている。このようなチューナダイバシチによれば、一般的に受信通信品質を向上させることができる。
【０００３】
また、チューナダイバシチが設定されている既存呼が存在する状態において、移動局との新規呼を割り当てるための空きタイムスロットが不足する場合、当該既存呼のチューナダイバシチが解除され、新規呼に割り当てるタイムスロットが確保される（例えば、特許文献１）。
【特許文献１】特開２００５−１５０９６９号公報（第８−１０頁、第５図）
【発明の開示】
【発明が解決しようとする課題】
【０００４】
しかしながら、上述した従来のチューナダイバシチの設定・解除方法には、次のような問題があった。すなわち、新規呼の割り当てには、使用されていない無線周波数をサーチする必要があるが、フレーム上のすべてのタイムスロットが使用されている場合、サーチする時間を確保することができないため、使用されていない無線周波数を検知することができない。このため、新規呼を割り当てることができないといった問題があった。
【０００５】
このような問題は、複数の既存呼についてチューナダイバシチを解除することによって空きとなったチャネル（タイムスロット）に、何れかの当該既存呼を再割り当てする場合にも生じ得る。
【０００６】
また、新規呼が割り当てられるタイムスロットは、既存呼のタイムスロットの使用状況に依存するため、新規呼へのタイムスロットの割り当てについての自由度が極めて低いといった問題もあった。
【０００７】
そこで、本発明は、このような状況に鑑みてなされたものであり、チューナダイバシチを用いて受信通信品質を確保しつつ、呼数が多いときでもより確実にチャネルを新規呼に割り当てることができる無線基地局、通信プログラム及び通信方法を提供することを目的とする。
【課題を解決するための手段】
【０００８】
上述した問題を解決するため、本発明は、次のような特徴を有している。まず、本発明の第１の特徴は、タイムスロットと無線周波数とによって定められるチャネルを複数用いて移動局（例えば、ＰＳ２００Ａ）とのダイバシチ無線通信（チューナダイバシチ）を実行する無線基地局（ＣＳ１００）であって、使用していない前記チャネルの数である空きチャネル数が所定の閾値（例えば、３チャネル）に到達したか否かを監視する空きチャネル数監視部（制御部１３０）と、前記空きチャネル数監視部によって前記空きチャネル数が前記所定の閾値に到達したことが検知された場合、前記ダイバシチ無線通信に用いられている一部のチャネルを解放するチャネル制御部（制御部１３０）とを備えることを要旨とする。
【０００９】
このような無線基地局によれば、空きチャネル数が所定の閾値に到達するまでは、ダイバシチ無線通信が設定されるため、所定の受信通信品質を確保することができる。また、空きチャネル数が所定の閾値に到達した場合、ダイバシチ無線通信に用いられている一部のチャネルが解放される。このため、呼数が多いときでもより確実にチャネルを新規呼に割り当てることができる。
【００１０】
本発明の第２の特徴は、本発明の第１の特徴に係り、前記チャネル制御部は、前記移動局から受信した信号の受信通信品質（例えば、フレームエラーレート）に基づいて、解放するチャネルを決定することを要旨とする。
【００１１】
本発明の第３の特徴は、本発明の第２の特徴に係り、前記チャネル制御部は、複数の移動局（例えば、ＰＳ２００Ａ，２００Ｂ）と前記ダイバシチ無線通信を設定している場合、前記複数の移動局のそれぞれと設定されている各チャネルを介して受信した前記信号の受信通信品質の平均が最も高い移動局を選択し、前記選択した移動局との間において用いられている複数の前記チャネルのうち、前記受信通信品質が最も低いチャネルを解放することを要旨とする。
【００１２】
本発明の第４の特徴は、タイムスロットと無線周波数とによって定められるチャネルを複数用いて移動局とのダイバシチ無線通信を実行する通信装置において用いられる通信プログラムであって、前記通信装置に、使用していない前記チャネルの数である空きチャネル数が所定の閾値に到達したか否かを監視する空きチャネル数監視手順と、前記空きチャネル数監視手順によって前記空きチャネル数が前記所定の閾値に到達したことが検知された場合、前記ダイバシチ無線通信に用いられている一部のチャネルを解放するチャネル制御手順とを実行させることを要旨とする。
【００１３】
本発明の第５の特徴は、本発明の第４の特徴に係り、前記チャネル制御手順は、前記移動局から受信した信号の受信通信品質に基づいて、解放するチャネルを決定することを要旨とする。
【００１４】
本発明の第６の特徴は、本発明の第５の特徴に係り、前記チャネル制御手順は、
複数の移動局と前記ダイバシチ無線通信を設定している場合、前記複数の移動局のそれぞれと設定されている各チャネルを介して受信した前記信号の受信通信品質の平均が最も高い移動局を選択し、前記選択した移動局との間において用いられている複数の前記チャネルのうち、前記受信通信品質が最も低いチャネルを解放することを要旨とする。
【００１５】
本発明の第７の特徴は、タイムスロットと無線周波数とによって定められるチャネルを複数用いて移動局とのダイバシチ無線通信を実行する通信方法であって、使用していない前記チャネルの数である空きチャネル数が所定の閾値に到達したか否かを監視するステップと、前記監視するステップにおいて前記空きチャネル数が前記所定の閾値に到達したことが検知された場合、前記ダイバシチ無線通信に用いられている一部のチャネルを解放するステップとを備えることを要旨とする。
【００１６】
本発明の第８の特徴は、本発明の第７の特徴に係り、前記チャネルを解放するステップでは、前記移動局から受信した信号の受信通信品質に基づいて、解放するチャネルを決定することを要旨とする。
【００１７】
本発明の第９の特徴は、本発明の第８の特徴に係り、前記チャネルを解放するステップでは、複数の移動局と前記ダイバシチ無線通信を設定している場合、前記複数の移動局のそれぞれと設定されている各チャネルを介して受信した前記信号の受信通信品質の平均が最も高い移動局を選択し、前記選択した移動局との間において用いられている複数の前記チャネルのうち、前記受信通信品質が最も低いチャネルを解放することを要旨とする。
【発明の効果】
【００１８】
本発明の特徴によれば、チューナダイバシチを用いて受信通信品質を確保しつつ、呼数が多いときでもより確実にチャネルを新規呼に割り当てることができる無線基地局、通信プログラム及び通信方法を提供することができる。
【発明を実施するための最良の形態】
【００１９】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２０】
したがって、具体的な寸法などは以下の説明を参酌して判断すべきものである。また、図面相互間においても互いの寸法の関係や比率が異なる部分が含まれていることは勿論である。
【００２１】
（無線基地局を含む無線通信システムの全体概略構成）
図１は、本実施形態に係る無線基地局を含む無線通信システムの全体概略構成図である。本無線通信システムは、ＰＨＳ（personal handyphone system）の規格に準拠した無線通信システムである。本無線通信システムでは、時分割多重多元接続（ＴＤＭＡ）及び時分割復信（ＴＤＤ）が用いられる。
【００２２】
本実施形態では、無線基地局１００（以下、ＣＳ１００を適宜省略する）と、移動局２００Ａ，２００Ｂ（以下、ＰＳ２００Ａ，ＰＳ２００Ｂと適宜省略する）とによって無線通信システムが構成される。なお、無線通信システムを構成する無線基地局及び移動局の数は、図１に示した数量に限定されるものではない。
【００２３】
ＣＳ１００は、タイムスロットと無線周波数とによって定められるチャネルを複数用いてＰＳ２００Ａ，２００Ｂとのダイバシチ無線通信、いわゆる“チューナダイバシチ”を実行することができる。ＣＳ１００は、アンテナ１１１，１１２の２つのアレイアンテナを有する。また、ＣＳ１００には、通信ネットワーク１０が接続される。
【００２４】
通信ネットワーク１０は、複数の無線基地局を接続するための通信ネットワークである。本実施形態では、通信ネットワーク１０は、ＩＳＤＮ回線（Ｉ’回線）などによって構成される。なお、通信ネットワーク１０は、ＩＳＤＮ回線のような回線交換型の通信ネットワークではなく、パケット交換型の通信ネットワーク（例えば、ＩＰネットワーク）であってもよい。
【００２５】
（無線基地局の機能ブロック構成）
図２は、ＣＳ１００の機能ブロック構成図である。図２に示すように、ＣＳ１００は、アンテナ１１１，１１２、無線部１２１，１２２、制御部１３０、無線信号処理部１４１，１４２、切替部１５０及びベースバンド部１６０を備える。
【００２６】
アンテナ１１１は、１．９ＧＨｚ帯の無線信号を送受信するアレイアンテナであり、無線部１２１と接続される。
【００２７】
無線部１２１は、１．９ＧＨｚ帯の無線信号を生成し、アンテナ１１１を介して送信する。また、無線部１２１は、ＰＳ２００Ａ，２００Ｂから、アンテナ１１１を介して１．９ＧＨｚ帯の無線信号を受信する。なお、アンテナ１１２及び無線部１２２は、アンテナ１１１及び無線部１２１とそれぞれ同様の機能を有する。
【００２８】
制御部１３０は、無線信号処理部１４１，１４２、切替部１５０及びベースバンド部１６０と接続される。
【００２９】
制御部１３０は、タイムスロットと無線周波数との組合せ（例えば、図５（ａ）参照）によって定められるチャネルの割り当て、ＰＳ２００Ａ，２００Ｂとの通信に使用されていない空きチャネル数の管理、チューナダイバシチ（ＴＤ）の設定や解除などを制御する。
【００３０】
特に、本実施形態では、制御部１３０は、空きチャネル数が所定の閾値に到達したか否かを監視する。
【００３１】
また、制御部１３０は、空きチャネル数が当該所定の閾値に到達したことを検知した場合、チューナダイバシチに用いられている一部のチャネルを解放する。本実施形態において、制御部１３０は、チャネル数監視部及びチャネル制御部を構成する。
【００３２】
制御部１３０は、ＰＳ２００Ａ，２００Ｂから受信した信号の受信通信品質、例えば、フレームエラーレート（ＦＥＲ）や受信信号強度（ＲＳＳＩ）を演算、取得し、取得したＦＥＲやＲＳＳＩの値を記憶する。制御部１３０は、ＦＥＲやＲＳＳＩに基づいて、解放するチャネルを決定する。
【００３３】
また、制御部１３０は、複数の移動局（例えば、ＰＳ２００Ａ，２００Ｂ）とチューナダイバシチを設定している場合、当該複数の移動局のそれぞれと設定されている各チャネルを介して受信した信号の受信通信品質の平均が最も高い移動局を選択する。
【００３４】
さらに、制御部１３０は、選択した移動局との間において用いられている複数のチャネルのうち、受信通信品質が最も低いチャネルを解放する。なお、解放するチャネルの具体的な決定方法については後述する。
【００３５】
無線信号処理部１４１は、無線部１２１及び切替部１５０と接続される。無線信号処理部１４１は、ＤＳＰ（digital signal processor）を有し、ベースバンド信号のデジタル変復調処理を実行する。
【００３６】
無線信号処理部１４２は、無線信号処理部１４１と同様の機能を有する。無線信号処理部１４２は、無線部１２２及び切替部１５０と接続される。
【００３７】
切替部１５０は、無線部１２１〜無線信号処理部１４１の系、または無線部１２２〜無線信号処理部１４２の系のうち、受信通信品質が良好な系を選択する。具体的には、切替部１５０は、制御部１３０からの制御に基づいて、受信通信品質（例えば、ＦＥＲ）が良好な系を選択する。
【００３８】
ベースバンド部１６０は、ベースバンド信号に関する処理（例えば、基地局識別符号（ＣＳＩＤ）などの各種情報の付加や除去）を実行する。また、ベースバンド部１６０は、通信ネットワーク１０と接続するためのネットワークインタフェースを備える。
【００３９】
（無線通信システムの動作）
次に、上述した本実施形態に係る無線通信システムの動作について説明する。具体的には、（１）移動局との通信へのチャネル（タイムスロット及び無線周波数）の割り当て動作、（２）チューナダイバシチが設定されている場合に解放するチャネルを選択する動作について説明する。
【００４０】
なお、以下、１Ｃ７Ｔ、つまり、１つの制御チャネル（Ｃ）と、７つの通信チャネル（Ｔ）を有するチャネル構成（図５（ａ）参照）を例として説明する。また、タイムスロットを単に“スロット”と適宜省略する。
【００４１】
（１）チャネルの割り当て動作
図３及び図４は、移動局との通信へのチャネル（タイムスロット及び無線周波数）の割り当て動作フローを示している。
【００４２】
ステップＳ１０において、ＣＳ１００は、空きスロット数（チャネル数）が“７”、つまり、移動局との通信に使用されているチャネルがないことを認識する。
【００４３】
ステップＳ２０において、ＣＳ１００は、移動局との通信に割り当てられている呼が解放されたか否かを判定する。
【００４４】
移動局との通信に割り当てられている呼が解放された場合（ステップＳ２０のＹＥＳ）、ＣＳ１００は、図４に示すステップＳ１４０の処理を実行する。
【００４５】
一方、移動局との通信に割り当てられている呼が解放されていない場合（ステップＳ２０のＮＯ）、ステップＳ３０において、ＣＳ１００は、移動局との新規の通信要求があるか否かを判定する。
【００４６】
移動局との新規の通信要求がある場合（ステップＳ３０のＹＥＳ）、ステップＳ４０において、ＣＳ１００は、当該通信要求に基づいて、割り当て可能なチャネルがあるか否かを判定する。
【００４７】
一方、移動局との新規の通信要求がない場合（ステップＳ３０のＮＯ）、ＣＳ１００は、ステップＳ２０からの処理を繰り返す。
【００４８】
割り当て可能なチャネルがない場合（ステップＳ４０のＮＯ）、ステップＳ５０において、ＣＳ１００は、当該通信要求に基づくチャネルの割り当てを拒否する。
【００４９】
一方、割り当て可能なチャネルがある場合（ステップＳ４０のＹＥＳ）、ステップＳ６０において、ＣＳ１００は、当該通信要求に基づいて、該当する移動局（例えば、ＰＳ２００Ａ）にチャネルを新規に割り当てる。
【００５０】
ステップＳ７０において、ＣＳ１００は、ステップＳ６０においてチャネルを新規に割り当てたことに伴い、空きスロット数を更新する。例えば、空きスロット数が“７”であった場合、“１”減らし、“６”とする。
【００５１】
ステップＳ８０において、ＣＳ１００は、空きスロット数がチューナダイバシチ（以下、ＴＤと適宜省略する）を維持できる“ＴＤ空きスロット数閾値”（本実施形態では、“３”）を上回るか否かを判定する。
【００５２】
空きスロット数がＴＤ空きスロット数閾値を上回る場合（ステップＳ８０のＹＥＳ）、ステップＳ９０において、ＣＳ１００は、ステップＳ６０において割り当てたスロットにおいてＴＤを起動する。
【００５３】
ここで、図５（ａ）は、ステップＳ９０の処理を実行した時点におけるチャネルの割り当て状況の一例を示している。
【００５４】
図５（ａ）に示すように、本実施形態では、タイムスロット（ＴＳ１〜４）及び無線周波数（ＲＦ_Ａ，ＲＦ_Ｂ）によって、１Ｃ７Ｔのチャネルが構成されている。移動局（例えば、ＰＳ２００Ａ）との通信においてＴＤが起動されると、同一スロット（ＴＳ２、図中の斜線部分）上において、異なる無線周波数（ＲＦ_Ａ，ＲＦ_Ｂ）を用いて通信が実行される。
【００５５】
ステップＳ１００において、ＣＳ１００は、ＴＤの起動によってチャネルをさらに割り当てたことに伴い、空きスロット数を更新する。例えば、空きスロット数が“６”であった場合、“１”減らし、“５”とする。
【００５６】
一方、空きスロット数がＴＤ空きスロット数閾値以下の場合（ステップＳ８０のＮＯ）、ステップＳ１１０において、ＣＳ１００は、空きスロット数がＴＤ空きスロット数閾値を下回る（例えば、ＴＤ空きスロット数閾値＝３に対して、空きスロット数＝２の場合）か否かを判定する。
【００５７】
空きスロット数がＴＤ空きスロット数閾値以上場合（ステップＳ１１０のＮＯ）、つまり、ステップＳ８０の処理において空きスロット数がＴＤ空きスロット数閾値を上回るケースは除外されているため、空きスロット数とＴＤ空きスロット数閾値とが同数（＝３）の場合、ＣＳ１００は、ステップＳ２０からの処理を繰り返す。
【００５８】
一方、空きスロット数がＴＤ空きスロット数閾値を下回っている場合（ステップＳ１１０のＹＥＳ）、ステップＳ１２０において、ＣＳ１００は、他のスロットに割り当てられているＴＤを解除する。
【００５９】
なお、複数のＴＤが設定されている場合において、解放するチャネルを選択する方法については、後述する。
【００６０】
ステップＳ１３０において、ＣＳ１００は、ＴＤの解除に伴い、空きスロット数を更新する。例えば、空きスロット数が“２”であった場合、“１”増やし、“３”とする。
【００６１】
次に、図４に示すように、ステップＳ１４０において、ＣＳ１００は、解放された呼には、ＴＤが設定されていたか否かを判定する。
【００６２】
ＴＤが設定されていた場合（ステップＳ１４０のＹＥＳ）、ステップＳ１５０において、ＣＳ１００は、空きスロット数を“２”増やす。例えば、当該呼の解放前に空きスロット数が“３”であった場合、ＣＳ１００は、解放後の空きスロット数を“５”とする。
【００６３】
一方、ＴＤが設定されていない場合（ステップＳ１４０のＮＯ）、ステップＳ１６０において、ＣＳ１００は、空きスロット数を“１”増やす。例えば、当該呼の解放前に空きスロット数が“３”であった場合、ＣＳ１００は、解放後の空きスロット数を“４”とする。
【００６４】
ステップＳ１７０において、ＣＳ１００は、空きスロット数がＴＤ空きスロット数閾値を上回るか否かを判定する。
【００６５】
空きスロット数がＴＤ空きスロット数閾値を上回る場合（ステップＳ１７０のＹＥＳ）、ステップＳ１８０において、ＣＳ１００は、ＴＤが設定可能な既存呼があるか否かを判定する。
【００６６】
一方、空きスロット数がＴＤ空きスロット数閾値以下である場合（ステップＳ１７０のＮＯ）、ＣＳ１００は、ステップＳ２０の処理を実行する。
【００６７】
ＴＤが設定可能な既存呼がある場合（ステップＳ１８０のＹＥＳ）、ステップＳ１９０において、ＣＳ１００は、当該既存呼にＴＤを設定する。
【００６８】
ステップＳ２００において、ＣＳ１００は、ＴＤの起動によってチャネルをさらに割り当てたことに伴い、空きスロット数を更新する。
【００６９】
ＴＤが設定可能な既存呼がない場合（ステップＳ１８０のＮＯ）、ＣＳ１００は、ステップＳ２０の処理を実行する。
【００７０】
次に、図５を参照して、上述したように動作するＣＳ１００によって、移動局との通信にチャネルが割り当てられる状況について説明する。
【００７１】
図５（ａ）は、同一スロット（ＴＳ２、図中の斜線部分）上において、異なる無線周波数（ＲＦ_Ａ，ＲＦ_Ｂ）を用いるＴＤが１つ設定されている状態を示している。
【００７２】
図５（ａ）に示した状態において、新規呼が生起すると、図５（ｂ１）または（ｂ２）に示すように、特定のチャネルが当該新規呼に割り当てられる。
【００７３】
図５（ｂ１）では、当該新規呼にもＴＤが設定された状態（ＴＳ３のＲＦ_Ａ，ＲＦ_Ｂ）を示している。一方、図５（ｂ２）は、当該新規呼にＴＤではない１つのチャネルのみが設定された状態を示している。図５（ｂ２）に示すように、ＴＤを設定しない場合、制御チャネル（Ｃ）と同一スロットを当該新規呼に割り当てても構わない。
【００７４】
図５（ｂ１）に示した状態では、空きスロット数（チャネル数）が“３”となり、上述したＴＤ空きスロット数閾値と同数となっている。
【００７５】
この状態において、さらに新規呼が生起すると、図５（ｃ）に示すような状態に移行する。すなわち、当該新規呼は、ＴＤを設定することなく空きチャネル（ＴＳ４，ＲＦ_Ａ）に割り当てられる。
【００７６】
また、ＴＤ空きスロット数閾値（＝３）を維持するため、ＴＳ３におけるＴＤを解除し、空きチャネル（ＴＳ２，ＲＦ_Ｂ）が確保される。なお、ＴＤの解除に伴い解放するチャネルの候補は４チャネル、具体的には、（ＴＳ２，ＲＦ_Ａ）、（ＴＳ２，ＲＦ_Ｂ）、（ＴＳ３，ＲＦ_Ａ）、（ＴＳ３，ＲＦ_Ｂ）があるが、当該候補の中から解放するチャネルを選択する方法については、後述する。
【００７７】
図５（ｃ）に示した状態において、ＴＳ４に設定された呼が解放されると、図５（ｄ）に示すように、ＴＳ３においてＴＤが再び設定される。
【００７８】
（２）解放するチャネルの選択
図６及び図７は、複数のＴＤが設定されている場合において、解放するチャネルを選択する動作フローを示している。
【００７９】
ステップＳ４１０において、ＣＳ１００は、ｎ＝１、ＲｅｌＳｌｏｔ＝０とする。ｎは、処理対象のスロット番号を示し、ＲｅｌＳｌｏｔは、解放するスロット番号またはスロット数を示す。
【００８０】
ステップＳ４２０において、ＣＳ１００は、ｎ番目のスロットにＴＤが設定されているか否かを判定する。
【００８１】
ｎ番目のスロットにＴＤが設定されている場合（ステップＳ４２０のＹＥＳ）、ステップＳ４３０において、ＣＳ１００は、ＲｅｌＳｌｏｔの値、つまり解放するスロット数が“０”か否かを判定する。
【００８２】
一方、ｎ番目のスロットにＴＤが設定されていない場合（ステップＳ４２０のＮＯ）、ステップＳ４４０において、ＣＳ１００は、ｎの値に“１”を加え、ステップＳ４２０からの処理を繰り返す。
【００８３】
ＲｅｌＳｌｏｔの値が“０”である場合（ステップＳ４３０のＹＥＳ）、ステップＳ４５０において、ＣＳ１００は、ＲｅｌＳｌｏｔの値をｎの値に更新する。
【００８４】
一方、ＲｅｌＳｌｏｔの値が“０”でない場合（ステップＳ４３０のＮＯ）、ＣＳ１００は、ステップＳ５８０の処理を実行する。
【００８５】
ステップＳ４６０において、ＣＳ１００は、ｎ番目のスロットのＲＦ_Ａ側チャネルにおけるＦＥＲ（ＦＥＲ（ｎ）_Ａ）と、ｎ番目のスロットのＲＦ_Ｂ側チャネルにおけるＦＥＲ（ＦＥＲ（ｎ）_Ｂ）とが同一（例えば、エラーフリー）か否かを判定する。
【００８６】
ＦＥＲ（ｎ）_ＡとＦＥＲ（ｎ）_Ｂとが同一の場合（ステップＳ４６０のＹＥＳ）、ステップＳ４７０において、ＣＳ１００は、ｎ番目のスロットのＲＦ_Ａ側チャネルにおける受信信号強度（ＲＳＳＩ（ｎ）_Ａ）が、ｎ番目のスロットのＲＦ_Ｂ側チャネルにおける受信信号強度（ＲＳＳＩ（ｎ）_Ｂ）よりも小さいか否かを判定する。
【００８７】
ＲＳＳＩ（ｎ）_ＡがＲＳＳＩ（ｎ）_Ｂよりも小さい場合（ステップＳ４７０のＹＥＳ）、ステップＳ４８０において、ＣＳ１００は、解放するチャネルの無線周波数（ＲｅｌＲＦ）をＲＦ_Ａと決定する。
【００８８】
ＲＳＳＩ（ｎ）_ＡがＲＳＳＩ（ｎ）_Ｂ以上の場合（ステップＳ４７０のＮＯ）、ステップＳ４９０において、ＣＳ１００は、解放するチャネルの無線周波数（ＲｅｌＲＦ）をＲＦ_Ｂと決定する。
【００８９】
一方、ＦＥＲ（ｎ）_ＡとＦＥＲ（ｎ）_Ｂとが同一でない場合（ステップＳ４６０のＮＯ）、ステップＳ５００において、ＣＳ１００は、ＦＥＲ（ｎ）_ＡがＦＥＲ（ｎ）_Ｂを上回るか否かを判定する。
【００９０】
ＦＥＲ（ｎ）_ＡがＦＥＲ（ｎ）_Ｂを上回る場合（ステップＳ５００のＹＥＳ）、つまり、ＲＦ_Ａ側のＦＥＲがＲＦ_Ｂ側のＦＥＲよりも悪い場合、ステップＳ５１０において、ＣＳ１００は、解放するチャネルの無線周波数（ＲｅｌＲＦ）をＲＦ_Ａと決定する。
【００９１】
一方、ＦＥＲ（ｎ）_ＡがＦＥＲ（ｎ）_Ｂ以下の場合（ステップＳ５００のＮＯ）、ステップＳ５２０において、ＣＳ１００は、解放するチャネルの無線周波数（ＲｅｌＲＦ）をＲＦ_Ｂと決定する。
【００９２】
すなわち、ＴＤが設定されている移動局とのチャネルのうち、ＦＥＲが低く、より受信通信品質が良好と判断できるチャネルが維持される。また、ＦＥＲが同一の場合（何れのチャネルともエラーフリー場合など）、ＲＳＳＩが高く、より受信通信品質が良好と判断できるチャネルが維持される。
【００９３】
ステップＳ５３０において、ＣＳ１００は、ｎの値が“４”か否かを判定する。
【００９４】
ｎの値が“４”以外の場合（ステップＳ５３０のＮＯ）、具体的には、ｎの値が“４”未満の場合、ステップＳ５４０において、ＣＳ１００は、ＴＤが設定されている両チャネルにおけるＦＥＲの平均値であるＦＥＲａｖｒと、受信信号強度の平均値であるＲＳＳＩａｖｒを演算する。具体的には、（式１）によって、ＦＥＲａｖｒ及びＲＳＳＩａｖｒを演算し、演算したＦＥＲａｖｒ及びＲＳＳＩａｖｒを記憶する。
【００９５】
ＦＥＲａｖｒ＝（ＦＥＲ（ｎ）_Ａ＋ＦＥＲ（ｎ）_Ｂ）／２
ＲＳＳＩａｖｒ＝（ＲＳＳＩ（ｎ）_Ａ＋ＲＳＳＩ（ｎ）_Ｂ）／２    …（式１）
一方、ｎの値が“４”の場合（ステップＳ５３０のＹＥＳ）、ステップＳ５５０において、ＣＳ１００は、ＲｅｌＳｌｏｔの値が“０”以外か否かを判定する。
【００９６】
ＲｅｌＳｌｏｔの値が“０”以外である場合（ステップＳ５５０のＹＥＳ）、ステップＳ５６０において、ＣＳ１００は、ＲｅｌＳｌｏｔによって示されるスロット番号（ＴＳ１〜４の何れか）、及びＲｅｌＲＦによって示される無線周波数（ＲＦ_ＡまたはＲＦ_Ｂ）によって定められるチャネルを解放する。
【００９７】
一方、ＲｅｌＳｌｏｔの値が“０”である場合（ステップＳ５５０のＮＯ）、ステップＳ５７０において、ＣＳ１００は、ＴＤが設定されていないと判定し、何れのチャネルも解放しない。
【００９８】
また、図７に示すように、ステップＳ５８０において、ＣＳ１００は、直近のステップＳ４２０の処理において、ＴＤが設定されていると判定された第ｎスロット（チャネル）におけるＦＥＲの平均値であるＦＥＲｔｍｐと、受信信号強度の平均値であるＲＳＳＩｔｍｐを演算する。具体的には、（式２）によって、ＦＥＲｔｍｐ及びＲＳＳＩｔｍｐを演算する。
【００９９】
ＦＥＲｔｍｐ＝（ＦＥＲ（ｎ）_Ａ＋ＦＥＲ（ｎ）_Ｂ）／２
ＲＳＳＩｔｍｐ＝（ＲＳＳＩ（ｎ）_Ａ＋ＲＳＳＩ（ｎ）_Ｂ）／２    …（式２）
ステップＳ５９０において、ＣＳ１００は、演算したＦＥＲｔｍｐと、ステップＳ５４０において記憶したＦＥＲａｖｒとが同一（例えば、エラーフリー）か否かを判定する。
【０１００】
ＦＥＲｔｍｐとＦＥＲａｖｒとが同一である場合（ステップＳ５９０のＹＥＳ）、ステップＳ６００において、ＣＳ１００は、演算したＲＳＳＩｔｍｐと、ステップＳ５４０において記憶したＲＳＳＩａｖｒとが同一か否かを判定する。
【０１０１】
一方、ＦＥＲｔｍｐとＦＥＲａｖｒとが同一でない場合（ステップＳ５９０のＮＯ）、ステップＳ６１０において、ＣＳ１００は、ＦＥＲｔｍｐがＦＥＲａｖｒを上回るか、つまりＦＥＲｔｍｐがＦＥＲａｖｒよりも悪いか否かを判定する。
【０１０２】
また、ＲＳＳＩｔｍｐとＲＳＳＩａｖｒとが同一である場合（ステップＳ６００のＹＥＳ）、及びＦＥＲｔｍｐがＦＥＲａｖｒを上回る場合（ステップＳ６１０のＹＥＳ）、ＣＳ１００は、ステップＳ４４０の処理を実行する。
【０１０３】
一方、ＲＳＳＩｔｍｐとＲＳＳＩａｖｒとが同一でない場合（ステップＳ６００のＮＯ）、及びＦＥＲｔｍｐがＦＥＲａｖｒ以下である場合（ステップＳ６１０のＮＯ）、ＣＳ１００は、ステップＳ４５０の処理を実行する。
【０１０４】
すなわち、ＴＤが設定されている移動局のうち、ＦＥＲが低く、より受信通信品質が良好と判断できる移動局との間におけるＴＤを解除する。
【０１０５】
また、ＦＥＲが同一の場合（何れの移動局ともエラーフリー場合など）、ＲＳＳＩが高く、より受信通信品質が良好と判断できる移動局との間におけるＴＤを解除する。
【０１０６】
（作用・効果）
以上説明した本実施形態に係る本実施形態に係るＣＳ１００によれば、空きチャネル数が所定の閾値に到達するまでは、チューナダイバシチ（ＴＤ）が設定されるため、所定の受信通信品質を確保することができる。また、空きチャネル数が所定の閾値に到達した場合、ＴＤに用いられている一部のチャネルが解放される。このため、呼数が多いときでもより確実にチャネルを新規呼に割り当てることができる。
【０１０７】
また、ＣＳ１００によれば、移動局から受信した信号の受信通信品質（例えば、ＦＥＲやＲＳＳＩ）に基づいて、解放するチャネルが決定される。このため、ＴＤを解除する場合でも、当該移動局からの受信信号の受信通信品質が低下することを可能な限り防止することができる。
【０１０８】
さらに、本実施形態では、複数の移動局とＴＤが設定されている場合、当該複数の移動局のそれぞれと設定されている各チャネルを介して受信した信号の受信通信品質の平均、例えば、図５（ｂ１）に示したチャネル、（ＴＳ２，ＲＦ_Ａ）、（ＴＳ２，ＲＦ_Ｂ）の平均、及び（ＴＳ３，ＲＦ_Ａ）、（ＴＳ３，ＲＦ_Ｂ）の平均が高い移動局が選択される。
【０１０９】
次いで、選択された移動局との間において用いられている複数のチャネル（例えば、（ＴＳ３，ＲＦ_Ａ）、（ＴＳ３，ＲＦ_Ｂ））のうち、受信通信品質が最も低いチャネル（例えば、（ＴＳ３，ＲＦ_Ｂ））が解放される。
【０１１０】
すなわち、ＣＳ１００によれば、ＴＤを解除する場合でも、当該移動局との通信の受信通信品質が低下することをさらに効果的に防止することができる。
【０１１１】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１１２】
例えば、上述した本発明の実施形態では、各チャネルを介して受信した信号の受信通信品質に基づいて、解放するチャネルが決定されていたが、解放するチャネルは、必ずしも受信通信品質に基づいていなくても構わない。例えば、スロット番号の小さいスロットのチャネルを解放するようにしてもよい。
【０１１３】
上述した本発明の実施形態では、受信通信品質としてＦＥＲ及びＲＳＳＩが用いられていたが、ＦＥＲやＲＳＳＩに代えて、或いはＦＥＲやＲＳＳＩに加えて、他の受信通信品質、例えば、フェージング量や、受信信号のシンボル位置のシンボル基準点からのずれ量であるＥＶＭ（error vector magnitude）などを用いても構わない。
【０１１４】
上述した本発明の実施形態では、１Ｃ７Ｔのチャネル構成を例として説明したが、１Ｃ１５Ｔや２Ｃ１４Ｔなどの異なるチャネル構成であってもよく、ＴＤに用いるチャネル数も２チャネル以外であってもよい。
【０１１５】
また、上述した制御部１３０の機能は、通信装置やコンピュータにおいて実行可能なプログラムとしても提供することができる。
【０１１６】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１１７】
【図１】本発明の実施形態に係る無線基地局を含む無線通信システムの全体概略構成図である。
【図２】本発明の実施形態に係る無線基地局の機能ブロック構成図である。
【図３】本発明の実施形態に係る無線基地局によるチャネル割り当て動作フローを示す図である。
【図４】本発明の実施形態に係る無線基地局によるチャネル割り当て動作フローを示す図である。
【図５】本発明の実施形態に係るチャネルの割り当て状況の一例を示す図である。
【図６】本発明の実施形態に係る無線基地局による解放チャネルの選択動作フローを示す図である。
【図７】本発明の実施形態に係る無線基地局による解放チャネルの選択動作フローを示す図である。
【符号の説明】
【０１１８】
１０…通信ネットワーク、１００…無線基地局（ＣＳ）、１１１，１１２…アンテナ、１２１，１２２…無線部、１３０…制御部、１４１，１４２…無線信号処理部、１５０…切替部、１６０…ベースバンド部、２００Ａ，２００Ｂ…移動局（ＰＳ）
【図１】
2007104397.tif 000003
【図２】
2007104397.tif 000004
【図３】
2007104397.tif 000005
【図４】
2007104397.tif 000006
【図５】
2007104397.tif 000007
【図６】
2007104397.tif 000008
【図７】
2007104397.tif 000009